(57)【要約】【課題】ドラム洗濯機の駆動部の構造を改良してモータの駆動力がドラムへ直接伝達されるようにすることにより、雑音及び故障、エネルギーの浪費を減らす一方、洗濯力の向上を図るだけでなく、ベアリングの軸間距離が遠くなるようにドラム洗濯機の駆動部の構造を改良して支持力が向上するようにした新たな構造のドラム洗濯機の駆動部の構造を提供すること。【解決手段】キャビネットの内部に設けられるタブと、タブの内側に設けられるドラムと、ドラムに軸連結され、モータの駆動力をドラムへ伝達するシャフトと、シャフト両端部の外周面上に設けられるベアリングとを備えたドラム洗濯機において；前記タブの後壁部の中央に、シャフト両端部の外周面上に各々設けられるベアリングを支持するための金属材質のベアリングハウジングが備えられることを特徴とする。【選択図】　図２ｂ
2004000608.tif 000002
【特許請求の範囲】
【請求項１】
プラスティック材質として、前面部が開放して後壁部が塞がっており、その後壁部は側壁部より厚く形成されて全体にシリンダー形状を有するタブと、
前記タブの内部に回転可能に設けられるドラムと、
前記タブの後壁部の中心内部に一体に形成される金属材質の中空のベアリングハウジングと、
前記ベアリングハウジングを貫通し、一端は前記ドラムと連結され、他端はモータのローターと連結されるシャフトと、
前記シャフトと前記ベアリングハウジングとの間に位置してシャフトを支持するベアリングと、
磁性体によって形成されたマグネティックコアと、コイルが巻かれて磁力を形成する巻線部とからなり、前記タブの後壁部の中央に固定されるステータと、
磁路を形成するバックヨークが側壁面に沿って形成され、前記側壁面に永久磁石が固定され、該永久磁石が前記マグネティックコアと一定距離を維持するように前記ステータが内側に設けられた円筒状のロータと、
前記ベアリングハウジングを包むように、前記タブの後壁部に前記ステータとともに締結ボルトによって一体的に締結されて、該タブの後壁部に対する該ステータの同心度を維持するサポータと、
を含むことを特徴とする、ドラム洗濯機の駆動部の構造。
【請求項２】
前記金属材質のベアリングハウジングはプラスティック材質のタブの後壁部中央にインサートモールティングされることを特徴とする、請求項１に記載のドラム洗濯機の駆動部の構造。
【請求項３】
前記ベアリングハウジングはアルミニウム合金からなることを特徴とする、請求項１に記載のドラム洗濯機の駆動部の構造。
【請求項４】
前記ベアリングハウジングの内周面の前、後方には、
前記ベアリングハウジングの内周面上に各々位置する前方ベアリング及び後方ベアリングを支持して、各ベアリングが前記ベアリングハウジングから離脱されないようにするための段部が各々形成されることを特徴とする、請求項１に記載のドラム洗濯機の駆動部の構造。
【請求項５】
前記ベアリングハウジングの内周面上に形成される段部のうち前方の段部は、シャフト両端部の外周面上に各々設けられるベアリングのうち前方ベアリングの後端部を支持する構造に形成され、
前記ベアリングハウジングの内周面上に形成される段部のうち後方の段部は、後方ベアリングの前端部を支持する構造に形成されることを特徴とする、請求項１に記載のドラム洗濯機の駆動部の構造。
【請求項６】
前記シャフトの前端部はドラム後壁部に備えられたスパイダに結合され、前記シャフトのスパイダの外部に露出した部分から前方ベアリングまでの領域には、シャフトの錆防止のために黄銅材質のブシングが圧入設置されることを特徴とする、請求項１に記載のドラム洗濯機の駆動部の構造。
【請求項７】
前記ローターが鉄板または鉄板合金材質からなることを特徴とする、請求項１に記載のドラム洗濯機の駆動部の構造。
【請求項８】
前記ローターは、
後壁面の縁部から前方に延長形成された側壁面上にはその内面の前方に装着されるマグネットを支持するための安着面を有する折り曲げ部が円周方向に沿って形成されることを特徴とする、請求項１に記載のドラム洗濯機の駆動部の構造。
【請求項９】
前記ローター後壁面上に、
前記ローターの回転時空気をステータの方に吹き込み、ステータでの発生熱を冷却させる作用をする複数の冷却フィンが放射状に一体に形成され、
前記冷却フィンはレンシング加工によってローターの開口部の側に向かうように形成されると共に、ローターの半径方向に所定の長さを有するように形成され、
前記冷却フィンのレンシング加工時形成された通孔は通風口の役割を果たすことを特徴とする、請求項１に記載のドラム洗濯機の駆動部の構造。
【請求項１０】
前記ローター後壁面の冷却フィンと冷却フィンの間の領域に、
前記ローターの強度補強のためのエンボシング部が形成され、
前記エンボシング部上には水分排出のための排水ホールが形成されることを特徴とする、請求項９に記載のドラム洗濯機の駆動部の構造。
【請求項１１】
前記ローターの後壁面の中央には前記ローターをシャフトに結合させるための締結部材が通過可能な貫通ホールが形成されたハブ部が備えられ、前記ローターの貫通ホールの縁部には前記後方ベアリングの後ろ側に露出されたシャフト後端部の外周面上にセレーション結合されるコネクタを前記ローターに締結させるための締結孔及び、前記コネクタの組立位置を決定する位置決定ホールが一定の間隔離隔して形成されることを特徴とする、請求項１に記載のドラム洗濯機の駆動部の構造。
【請求項１２】
前記コネクタハブの内周面上にシャフトの後端部に形成されたセレーションに形合するセレーションが形成され、
前記コネクタのハブの外側には前記ハブの強度補強のための補強リブが備えられることを特徴とする、請求項１１に記載のドラム洗濯機の駆動部の構造。
【請求項１３】
前記コネクタがローターと振動モードが異なる樹脂材質からなることを特徴とする、請求項１１に記載のドラム洗濯機の駆動部の構造。
【請求項１４】
前記タブの後壁部上にはベアリングハウジングがその内部にインサートされるハブと一体に形成され、
前記ハブの外側には締結部材を用いてステータをタブの後壁部上に固定させるための締結用ボスが円周方向に沿って一定の間隔離隔して形成されることを特徴とする、請求項１に記載のドラム洗濯機の駆動部の構造。
【請求項１５】
前記ステータのマグネティックコアは複数の磁性体によって形成されていることを特徴とする、請求項１に記載のドラム洗濯機の駆動部の構造。
【請求項１６】
キャビネットの内側に設けられるプラスティック材質のタブと、
前記タブの内側に設けられるドラムと、
前記タブの後壁部の中央に内装され、その内部に前方ベアリングおよび後方ベアリングが設けられて、該前方ベアリングおよび該後方ベアリングをそれぞれ支持する段部が内周面上にそれぞれ形成された金属材質のベアリングハウジングと、
前記タブの内側に設けられるドラムに軸連結されてモータの駆動力をドラムへ伝達し、前端部はドラムの後壁部に備えられたスパイダに結合され、スパイダの外部に露出した部分から前記前方ベアリングまでの領域には、錆防止のための黄銅材質のブシングが圧入設置され、外周面上に前記前方及び後方ベアリングのシャフト上での設置位置を決定する位置決定用段部が形成されたシャフトと、
前記シャフトの後端部に結合され、鉄板材質として、後壁面の縁部から前方に延長形成された側壁面上にはその内面の前方に装着される永久磁石を支持するための安着面を有する折り曲げ部が円周方向に沿って形成され、その後壁面の中心には前記ローターをシャフトに結合させるためのボルトなどの締結部材が通過可能な貫通ホールが形成されたハブ部が形成され、回転時空気をステータの側に吹き込み、ステータからの発生熱を冷却させる作用を行う複数の冷却フィンが後壁面上に放射状に形成され、前記ローター後壁面の冷却フィンの間にはローターの強度補強のためのエンボシング部が形成され、前記エンボシング部上には水分排出のための排水ホールが形成されるローターと、
前記ローターの内側に位置し、前記タブの後壁部に締結されて前記ローターと共にモータを構成するステータと、
前記シャフトとローターが共に回動するように前記シャフトとローターとの間に介在され、前記ローターの回転力をシャフトへ伝達する樹脂材質のコネクタと、
前記ベアリングハウジングを包むように、前記タブの後壁部に前記ステータとともに締結ボルトによって一体的に締結されて、該タブの後壁部に対する該ステータの同心度を維持するサポータと、
が備えられることを特徴とする、ドラム洗濯機の駆動部の構造。
【請求項１７】
キャビネットの内側に設けられるタブと、
前記タブの内側に設けられるドラムに軸連結され、モータの駆動力をドラムへ伝達するシャフトと、
前記シャフト両端部の外周面上に各々設けられる前方ベアリング及び後方ベアリングと、
前記タブの後壁部の中央に内装され、前方ベアリングを支持する金属材質のベアリングハウジングと、
前記シャフトの後端部に結合され、モータを構成するローターと、
前記ローターの内側に位置し、ローターと共にモータを構成するように前記タブの後壁部に締結されるステータと、
前記シャフトの後方ベアリングの前方の外周面上にセレーション結合されると共に、前記ローターに締結されて前記ローターの回転力をシャフトへ伝達するコネクタと、
前記ベアリングハウジングを包むように、前記タブの後壁部に前記ステータとともに締結ボルトによって一体的に締結されて、該タブの後壁部に対する該ステータの同心度を維持するサポータと、
前記タブの後壁部に結合され、前記ローターの外側を包むと共に、前記後方ベアリングを支持するベアリングブラケットとが備えられることを特徴とする、ドラム洗濯機の駆動部の構造。
【請求項１８】
前記金属材質のベアリングハウジングはプラスティック材質のタブの後壁部中央にインサートモールティングされることを特徴とする、請求項１７に記載のドラム洗濯機の駆動部の構造。
【請求項１９】
キャビネットの内側に設けられるプラスティック材質のタブと、
前記タブの内側に設けられるドラムと、
前記タブの後壁部の中央に内装され、その内部に前方ベアリングが設けられて、該前方ベアリングを支持するように段部が内周面上に形成された金属材質のベアリングハウジングと、
前記タブの内側に設けられるドラムに軸連結されてモータの駆動力をドラムへ伝達し、前端部はドラム後壁部に備えられたスパイダに結合され、該スパイダの外部に露出した部分から前方ベアリングまでの領域には、錆防止のために黄銅材質のブシングが圧入設置されるシャフトと、
前記シャフト後端部の外周面上に設けられる後方ベアリングと、
前記シャフトの後端部に結合され、鉄板材質として、後壁面の縁部から前方に延長形成された側壁面上には、その内面の前方に装着される永久磁石を支持するための安着面を有する折り曲げ部が円周方向に沿って形成され、その後壁面の中心には前記ローターをシャフトに結合させるためのボルトなどの締結部材が通過可能な貫通ホールが形成されたハブ部が形成され、回転時空気をステータの方に吹き込み、ステータからの発生熱を冷却させる作用をする複数の冷却フィンが後壁面上に放射状に形成され、前記ローター後壁面の冷却フィンの間にはローターの強度補強のためのエンボシング部が形成され、前記エンボシング部上には水分排出のための排水ホールが形成されるローターと、
前記ローターの内側に位置し、前記タブの後壁部に締結されて前記ローターと共にモータを構成するステータと、
前記シャフトとローターが共に回動するように前記シャフトとローターの間に介在され、前記ローターの回転力をシャフトへ伝達する樹脂材質のコネクタと、
前記ベアリングハウジングを包むように、前記タブの後壁部に前記ステータとともに締結ボルトによって一体的に締結されて、該タブの後壁部に対する該ステータの同心度を維持するサポータと、
前記タブの後壁部に結合され、前記ローターの外側を包むと共に前記後方ベアリングを支持するベアリングブラケットとが備えられることを特徴とする、ドラム洗濯機の駆動部の構造。
【請求項２０】
プラスティック材質として、前面部が開放して後壁部が塞がっており、その後壁部は側壁部より厚く形成されて全体にシリンダー形状を有するタブと、
前記タブの内部に回転可能に設けられるドラムと、
前記タブの後壁部の中心内部にインサートモールディングされて一体に形成されるアルミニウム材質の中空のベアリングハウジングと、
前記ベアリングハウジングを貫通し、一端は前記ドラムと連結され、他端はモータのローターと連結されるシャフトと、
前記シャフトとベアリングハウジングとの間に位置して該シャフトを支持するベアリングと、
磁性体によって形成されたマグネティックコアと、コイルが巻かれて磁力を形成する巻線部とからなり、前記タブの後壁部の中央に固定されるステータと、
磁路を形成するバックヨークが側壁面に沿って形成され、前記側壁面に永久磁石が固定され、該永久磁石が前記マグネティックコアと一定距離を維持するように前記ステータが内側に設けられた円筒状のロータと、
を含むことを特徴とする、ドラム洗濯機の駆動部の構造。
【発明の詳細な説明】
【０００１】
【発明の属する技術分野】
本発明はドラム洗濯機に関し、特に、ドラム洗濯機の駆動部の構造改良に関する。
【０００２】
【従来の技術】
一般に、ドラム洗濯方式はモータの駆動力が伝達され回転するドラムと洗濯物の摩擦力を用いて洗濯を行う方式であって、洗濯物が損傷したり縺れずに、叩いてもみ洗いの洗濯効果がある。
【０００３】
以下、図１を参照して従来のドラム洗濯機の構造について簡略に説明する。
【０００４】
図１は従来のドラム洗濯機の構成を示す縦断面図であって、キャビネット１の内側にタブ（Ｔｕｂ）２が設けられ、そのタブ２の内側の中央にはドラム３が回転可能に設けられる。そして、タブ２の下部側にはモータ５ａが設けられ、そのモータ５ａにはモータプーリ１８が軸連結されている。
【０００５】
一方、ドラム３の後方にはドラム軸が設けられ、そのドラム軸にはドラムプーリ１９が設けられる。また、ドラム軸上に設けられたドラムプーリ１９とモータ５ａに連結されたモータプーリ１８は動力伝達要素のベルト２０によって連結される。そして、キャビネット１の前方にはドア２１が設けられ、ドア２１とタブ２との間にはガスケット２２が設けられる。
【０００６】
一方、キャビネット１上部面の内側とタブ２外周面の上部側との間には、タブ２を支持するハンギングスプリング２３（Ｈａｎｇｉｎｇ　ｓｐｒｉｎｇ）が設けられ、キャビネット１下部面の内側とタブ２外周面の下部側との間には、脱水時のタブ２の振動を減衰させるためのフリクションダンパ２４が設けられる。
【０００７】
しかし、上記従来の洗濯機はモータ５ａの駆動力がモータプーリ１８及びドラムプーリ１９、そして、モータプーリ１８及びドラムプーリ１９を連結するベルト２０によってドラム３へ伝達される構造であるので、次のような短所がある。
【０００８】
まず、モータ５ａの駆動力がドラム３へ直接伝達されず、モータプーリ１８及びドラムプーリ１９、ベルト２０などを介して伝達されるため、駆動力の伝達過程でエネルギーの損失が発生し、雑音が激しくなる。
【０００９】
また、モータ５ａの駆動力をドラム３へ伝達するためにモータプーリ１８及びドラムプーリ１９、ベルト２０などの部品が必要であるから製品の組立工数が増加し、故障の発生可能性が多くなる不具合があった。
【００１０】
これと共に、従来のドラム洗濯機は一般的にタブ２がステンレス鋼材質からなっているため、単価が高く、成形性が良くなく、重量が重い短所もあった。
【００１１】
【発明が解決しようとする課題】
本発明は上記問題点を解決するために案出したもので、ドラム洗濯機の駆動部の構造を改良してモータの駆動力がドラムへ直接伝達されるようにすることにより、雑音及び故障、エネルギー浪費を減らす一方、洗濯力の向上を図るようにした新たな構造のドラム洗濯機の駆動部の構造を提供することにその目的がある。
【００１２】
本発明のまた他の目的は、ベアリングの軸間距離が遠くなるようにドラム洗濯機の駆動部の構造を改良して、支持力が向上するようにした新たな構造のドラム洗濯機の駆動部の構造を提供することにある。
【００１３】
【課題を解決するための手段】
上記目的を達成するための本発明の第１形態によれば、キャビネットの内部に設けられるタブと、タブの内側に設けられるドラムと、ドラムに軸連結され、モータの駆動力をドラムへ伝達するシャフトと、シャフト両端部の外周面上に設けられるベアリングとを備えたドラム洗濯機において；前記タブの後壁部の中央に、シャフト両端部の外周面上に各々設けられるベアリングを支持するための金属材質のベアリングハウジングが備えられることを特徴とするドラム洗濯機の駆動部の構造が提供される。
【００１４】
上記目的を達成するための本発明の第２形態によれば、キャビネットの内側に設けられるタブと、タブの後壁部の中央に内装され、その内部のベアリングを支持するベアリングハウジングと、タブの内側に設けられるドラムに軸連結され、モータの駆動力をドラムへ伝達するシャフトと、シャフト両端部の外周面上に各々設けられるベアリングと、シャフトの後端部に結合されるローターと、ローターの内側に位置するように設けられ、タブの後壁部に締結されるステータと、シャフトとローターが共に回動するように前記シャフトとローターとの間に設けられ、ローターの回転力をシャフトへ伝達するコネクタと、タブの後壁部とステータとの間に設けられてステータを支持すると共に、ステータをタブの後壁部に装着時、同心度が維持されるようにするサポーターとが備えられるドラム洗濯機の駆動部の構造が提供される。
【００１５】
上記目的を達成するための本発明の第３形態によれば、キャビネットの内側に設けられるプラスティック材質のタブと、タブの後壁部の中央に内装され、その内部のベアリングを支持するように″¬″状及び″└″状の段部が内周面上に形成された金属材質のベアリングハウジングと、タブの内側に設けられるドラムに軸連結されてモータの駆動力をドラムへ伝達し、前端部はドラムの後壁部に備えられたスパイダに結合され、シャフトのスパイダの外部に露出した部分から前方ベアリングまでの領域には、シャフトの錆防止のために黄銅材質のブシングが圧入設置され、外周面上に前方及び後方ベアリングのシャフト上での設置位置を決定する位置決定用段部が形成されたシャフトと、シャフト両端部の外周面上に各々設けられるベアリングと、シャフトの後端部に結合され、鉄板材質として、後壁面の縁部から前方に延長形成された側壁面上にはその内面の前方に装着されるマグネットを支持するための安着面を有する折り曲げ部が円周方向に沿って形成され、その後壁面の中心にはローターをシャフトに結合させるためのボルトなどの締結部材が通過可能な貫通ホールが形成されたハブ部が形成され、回転時空気をステータの側に吹き込み、ステータからの発生熱を冷却させる作用を行う複数の冷却フィンが後壁面上に放射状に形成され、ローター後壁面の冷却フィンの間にはローターの強度補強のためのエンボシング部が形成され、そのエンボシング部上には水分排出のための排水ホールが形成されるローターと、ローターの内側に位置し、タブの後壁部に締結されてローターと共にモータを構成するステータと、
シャフトとローターが共に回動するようにシャフトとローターとの間に介在され、ローターの回転力をシャフトへ伝達する樹脂材質のコネクタと、タブの後壁部とステータとの間に設けられ、ステータを支持すると共にステータをタブの後壁部に装着時、同心度が維持されるようにするサポーターとが備えられることを特徴とするドラム洗濯機の駆動部の構造が提供される。
【００１６】
上記目的を達成するための本発明の第４形態によれば、キャビネットの内側に設けられるタブと、タブの内側に設けられるドラムと、タブの内側に設けられるドラムに軸連結され、モータの駆動力をドラムへ伝達するシャフトと、シャフト両端部の外周面上に各々設けられる前方ベアリング及び後方ベアリングと、タブの後壁部の中央に内装され、前方ベアリングを支持するベアリングハウジングと、
シャフトの後端部に結合され、モータを構成するローターと、ローターの内側に位置し、タブの後壁部に締結されるステータと、シャフトの後方ベアリングの前方の外周面上にセレーション結合されると共にローターに締結され、ローターの回転力をシャフトへ伝達するコネクタと、タブの後壁部とステータとの間に設けられ、ステータを支持すると共に、ステータをタブの後壁部に装着時同心度が維持されるようにするサポーターと、タブの後壁部に結合され、前記ローターの外側を包むと共に、後方ベアリングの前端部を支持するベアリングブラケットとが備えられることを特徴とするドラム洗濯機の駆動部の構造が提供される。
【００１７】
上記目的を達成するための本発明の第５形態によれば、キャビネットの内側に設けられるプラスティック材質のタブと、タブの後壁部の中央に内装され、その内部のベアリングを支持するように段部が内周面上に形成された金属材質のベアリングハウジングと、タブの内側に設けられるドラムに軸連結されてモータの駆動力をドラムへ伝達し、前端部はドラム後壁部に備えられたスパイダに結合され、シャフトのスパイダの外部に露出した部分から前方ベアリングまでの領域には、シャフトの錆防止のために黄銅材質のブシングが圧入設置されるシャフトと、シャフト両端部の外周面上に各々設けられるベアリングと、シャフトの後端部に結合され、鉄板材質として、後壁面の縁部から前方に延長形成された側壁面上にはその内面の前方に装着されるマグネットを支持するための安着面を有する折り曲げ部が円周方向に沿って形成され、その後壁面の中心にはローターをシャフトに結合させるためのボルトなどの締結部材が通過可能な貫通ホールが形成されたハブ部が形成され、回転時空気をステータの側に吹き込み、ステータからの発生熱を冷却させる作用を行う複数の冷却フィンが後壁面上に放射状に形成され、ローター後壁面の冷却フィンの間にはローターの強度補強のためのエンボシング部が形成され、エンボシング部上には水分排出のための排水ホールが形成されるローターと、ローターの内側に位置し、タブの後壁部に締結されて前記ローターと共にモータを構成するステータと、シャフトとローターが共に回動するようにシャフトとローターとの間に介在され、前記ローターの回転力をシャフトへ伝達する樹脂材質のコネクタと、タブの後壁部とステータとの間に設けられ、ステータを支持すると共に、ステータをタブの後壁部に装着時同心度が維持されるようにするサポーターと、タブの後壁部に結合され、ローターの外側を包むと共に、後方ベアリングを支持するベアリングブラケットとが備えられることを特徴とするドラム洗濯機の駆動部の構造が提供される。
【００１８】
【発明の実施の形態】
以下、添付の図面に基づいて本発明の実施形態を説明する。
【００１９】
まず、本発明の第１実施形態を図２ａないし図８を参照して詳細に説明する。
【００２０】
図２ａは本発明の第１実施形態によるドラム洗濯機の構成を示す縦断面図であり、図２ｂは図２ａのＡ部の拡大詳細図である。
【００２１】
そして、図３は図２のローターを示す一部切開斜視図であり、図４は図３のＢ部の拡大斜視図であり、図５は図３の底面斜視図である。
【００２２】
また、図６は図２のステータを示す斜視図であり、図７は図２のコネクタを示す斜視図であり、図８は図７の底面斜視図である。
【００２３】
本発明の第１実施形態によるドラム洗濯機には、キャビネット１の内部に設けられるプラスティック材質のタブ２と、タブ２の内側に設けられるドラム３と、ドラム３に軸連結され、モータ５の駆動力をドラム３へ伝達するシャフト４と、シャフト４両端部の外周面上に設けられるベアリング６ａ、６ｂと、タブ２の後壁部２００の中央にベアリング６ａ、６ｂを支持するための金属材質のベアリングハウジング７とが備えられている。
【００２４】
この際、前記タブ２はシリンダー型として、全面部が開放し、後壁部２００は塞がっており、その後壁部２００は側壁部より厚く形成される。前記金属材質のベアリングハウジング７はプラスティック材質のタブ２の射出成形時、インサート射出され、タブ後壁部２００と一体形をなすように構成される。そのベアリングハウジング７はアルミニウム合金からなることが好ましい。
【００２５】
一方、前記金属材質のベアリングハウジング７には、その内周面上に各々設けられる前方ベアリング６ａ及び後方ベアリング６ｂを支持して、前記ベアリング６ａ、６ｂがベアリングハウジング７から離脱しないようにする段部８ａ、８ｂが各々備えられる。
【００２６】
この際、ベアリングハウジング７の内周面上に形成される段部８ａ、８ｂのうち前方の段部８ａは、シャフト４両端部の外周面上に各々設けられるベアリングのうち前方ベアリング６ａの後端部を支持する構造となるように″¬″状に形成され、後方の段部８ｂは後方ベアリング６ｂの前端部を支持する構造となるように″└″状に形成される。
【００２７】
一方、ベアリングハウジング７の内側に位置し、ドラム３へモータ５の駆動力を伝達するシャフト４の外周面上にも前方ベアリング６ａ及び後方ベアリング６ｂのシャフト４上での設置位置が決定されるようにする位置決定用段部４００ａ、４００ｂが前方及び後方に各々形成されるように構成される。
【００２８】
前記シャフト４の前端部はドラム３の後壁部に備えられたスパイダ１０に結合され、シャフト４のスパイダ１０の後方に露出した部分から前方ベアリング６ａまでの領域にはシャフト４の錆防止のために黄銅材質のブシング１１が圧入設置され、そのブシング１１の外側面にはベアリング側への水分浸透を防止するためのシーリング部材１２が設けられる。
【００２９】
一方、シャフト４後端部の中心には直結式モータ５を構成するローター１３が締結され、そのローター１３の内側にはタブ２の後壁部２００に締結固定されてローター１３と共に直結式モーターを構成するステータ１４が位置する。
【００３０】
この際、ローター１３は鉄板または鉄板合金からなり、図３ないし図５に示すように、後壁面１３ａの縁部から前方に延長形成された側壁面１３ｂ上には、その内面の前方に装着されるマグネット１３ｃを支持するための安着面１３０を有する折り曲げ部が円周方向に沿って形成され、その後壁面１３ａの中心にはローター１３をシャフト４に結合させるためのボルトなどの締結部材１５ａが通過可能な貫通ホール１３１が形成されたハブ部１３２が形成される。ここで、ローター１３の全体的形状はプレス加工により形成されることが好ましい。
【００３１】
そして、ローター１３のハブ部１３２の周辺にはローター１３の回転時空気をステータ１４の側に吹き込み、ステータ１４からの発生熱を冷却させる作用を行う複数の冷却フィン１３３が後壁面上に放射状に形成され、この際、個別冷却フィン１３３は半径方向に所定の長さを有するように形成される。
【００３２】
この際、前記冷却フィン１３３はレンシング加工によって、後壁面に対して９０°に折り曲げられ、開口部の側に向かうように形成され、レンシング加工により形成された通孔１３４は通風口の役割を果たす。これと共に、ローター１３の後壁面１３ａの各冷却フィン１３３とそれに隣接した冷却フィンの間の領域にはローター１３の強度補強のためのエンボシング部１３５が形成され、そのエンボシング部１３５上には水分排出のための排水ホール１３６が形成される。
【００３３】
一方、前記ロータ１３のハブ部１３２に形成された貫通ホール１３１の縁部には、後方ベアリング６ｂの後ろ側に露出されたシャフト４後端部の外周面上にセレーション結合されるコネクタ１６をローター１３に締結させるための締結孔１３７及び、コネクタ１６の組立位置を決定する位置決定ホール１３８が一定の間隔離隔して形成される。この際、前記コネクタ１６は鉄板または鉄板合金材質のローター１３と振動モードが異なる樹脂材質からなり、ローターに対してブシング役割を兼ねる。
【００３４】
一方、前記コネクタ１６は、図２ｂと図７及び図８に示すように、その縁部領域に円周方向に沿ってローター１３のハブ部１３２に形成された締結孔１３７に対応する締結孔１６２が形成され、その締結孔１６２の間にはローター１３の位置決定ホール１３８内に挿入されることにより、ローター１３の締結孔１３７とコネクタ１６の締結孔１６２とが自動的に一致されるようにする位置決定突起１６０が一体に形成される。
【００３５】
また、前記コネクタ１６のハブ１６３の内周面上にはシャフト４の後端部に形成されたセレーションに形合するセレーション１６４が形成され、コネクタ１６のハブ１６３の外側にはハブ１６３の強度補強のための補強リブ１６１が備えられる。
【００３６】
一方、前記タブ２の後壁部２００上にはタブの射出成形時ベアリングハウジング７がその内部にインサートされるハブ２０１と一体に形成され、ハブ２０１の外側には、締結部材１５ａを用いてステータ１４をタブ２の後壁部２００上に固定させるための締結用ボス２００が円周方向に沿って一定の間隔離隔して備えられる。そして、タブ２の後壁部２００とステータ１４との間には、タブ後壁部２００の外郭形状とほぼ同形をなして前記ステータの締結時にタブの後壁部２００に固定されステータ１４を支持すると同時に、ステータ１４の同心度が維持されるようにするサポーター１７が介在される。
【００３７】
この際、前記サポーター１７の前端部はタブ後壁部２００の一側のリブ２０３内側面に密着され、サポーター１７の後端部はタブ後壁部２００の中央に備えられたハブ部１３２によって包まれず、外部に露出されるベアリングハウジング７の後端部の外周面上に密着されるように構成される。
【００３８】
一方、ローター１３と共にモーター５を構成するステータ１４は、図２ｂ及び図６に示すように、分割形成された磁性体が積層となって成されたマグネティックコア１４５と、そのマグネティックコア１４５を包む樹脂材質のフレーム１４０と、そのフレーム１４０の外側に備えられた巻線部１４１に巻かれるコイル１４２とを含んで構成され、フレーム１４０の内側にはステータ１４をタブの後壁部２００に固定させるための締結用リブ１４３がフレーム１４０に一体に形成される。
【００３９】
このように構成された本発明の第１実施形態によるドラム洗濯機の駆動部の動作過程を以下に説明する。
【００４０】
パネル部に付着されたモータ駆動用コントローラ（図示せず）の制御によってステータ１４のコイル１４２に順次に電流が流れ、ローター１３の回転が起こると、ローターに結合されたコネクタ１６とセレーション結合されたシャフト４が回転し、これにより、シャフト４を介してドラムへ動力が伝達され、ドラム３が回転する。
【００４１】
一方、本発明の駆動部が適用されたドラム洗濯機の作用は以下の通りである。
【００４２】
まず、本発明のドラム洗濯機はタブ２が耐熱性の優れたプラスティック材質から製作されるため重量が軽く、射出成形されることで製作性が良くなる。
【００４３】
また、本発明のドラム洗濯機はベアリングの支持手段であるベアリングハウジング７がアルミニウム合金などの金属材質からなっているため、高温でも熱的変形がなく、乾燥工程のあるドラム洗濯機にも適用可能である。
【００４４】
そして、本発明では金属材質のベアリングハウジング７はプラスティック材質のタブ２の射出成形時、タブ後壁部２００のハブ２０１内にインサート射出され、前記タブ２と一体形になるように構成されることで、ベアリングハウジング７をタブ後壁部２００に別途に組み立てる工程が省略され、組立工数を減らすことができる。
【００４５】
そして、本発明によるベアリングハウジング７は、内周面の前方に″¬″状の段部８ａが形成され、内周面の後方に″└″状の段部８ｂが形成されていることにより、シャフト４両端部の外周面上に各々設けられる前方ベアリング６ａの後端部及び後方ベアリング６ｂの前端部が支持され得る。
【００４６】
即ち、金属材質のベアリングハウジング７は内周面の両側に段部８ａ、８ｂが各々形成されているため、両側ベアリング６ａ、６ｂがベアリングハウジング７から離脱せずに支持される。
【００４７】
また、前記ベアリングハウジング７の内側に位置し、ドラム３へモータ５の駆動力を伝達するシャフト４の前、後方の外周面上には位置決定用段部４００ａ、４００ｂが各々形成されており、前方ベアリング６ａ及び後方ベアリング６ｂのシャフト４上での組立位置が容易に決定される。
【００４８】
一方、前記シャフト４の前端部はドラム３の後壁部に備えられたスパイダ１０に結合され、シャフト４のスパイダ１０の外側に露出した部分から前方ベアリング６ａまでの領域には黄銅材質のブシング１１が強制圧入され設置されることで、シャフト４の錆発生を防止することができる。
【００４９】
また、ブシング１１の外側面にはシーリング部材１２が設けられ、ベアリング側への水分浸透が防止される。
【００５０】
一方、シャフト４後端部の中心には直結式モータ５を構成するローター１３が結合され、そのローターの内側にはステータ１４が位置するが、ローター１３の後壁面１３ａの縁部から前方に延長形成した側壁面１３ｂ上にはマグネット安着面１３０を有する折り曲げ部が円周方向に沿って形成され、マグネット１３ｃをローター１３の内面に付着時、安着面１３０によってマグネット１３ｃが支持されるので、ローターの製作が容易となる。
【００５１】
また、ローター１３の後壁面１３ａの中心には貫通ホール１３１が備えられたハブ部１３２が形成され、ローター１３をシャフト４に結合させるためのボルトなどの締結部材１５ｂが通過可能であり、ローター１３のハブ部１３２の周辺には複数の冷却フィン１３３が放射状をなす一方、半径方向に所定の長さを有するように形成されていて、ローター１３の回転時、冷却フィン１３３が空気をステータ１４の側に吹き込み、ステータ１４からの発生熱を冷却させる。
【００５２】
この際、冷却フィン１３３はレンシング加工によってローター１３の開口部の側に向かうように形成され、レンシング加工により形成された通孔１３４は通風口の役割を果たす。ここで、ローター１３は鉄板または鉄板合金材質からなり、プレス加工により成形されることでローターの製作時間が短縮され、ローター制作時の生産性が向上する。
【００５３】
これと共に、ローター１３後壁面１３ａの各冷却フィン１３３と冷却フィンの間の領域にはエンボシング部１３５が形成されローター１３の全体的な強度が向上し、前記エンボシング部１３５上には排水ホール１３６が形成され、その排水ホールを介して水分排出が行われる。
【００５４】
一方、ローター１３のハブ部１３２に形成された貫通ホール１３１の縁部にはコネクタの締結のための締結孔１３７及び、コネクタ１６の組立位置決定のための位置決定ホール１３８が形成され、後方ベアリング６ｂの後ろ側に露出されたシャフト４後端部の外周面上にセレーション結合されるコネクタ１６をローターに簡単に組み立てることができる。即ち、コネクタ１６の位置決定突起１６０をローター１３の位置決定ホール１３８内に挿入されるように形合させることで、ローター１３及びコネクタ１６の締結孔１３７、１６２が自動的に一致され、これに応じてローター１３及びコネクタ１６の締結孔１３７、１６２に締結部材１５ｃを締結することにより、コネクタ１６とローター１３との組立を容易に行うことができる。この際、コネクタ１６は樹脂材質として射出成形されるが、鉄板または鉄板合金からなったローター１３とは振動モードが異なり、ローター１３の振動が減衰してシャフト４へ伝達されるようにする役割を果たす。
【００５５】
一方、コネクタ１６のハブ１６３内周面上にはセレーション１６４が形成され、シャフト４の後端部に形成されたセレーション４００に形合することにより、コネクタ１６を介してローター１３の回転力がシャフト４へそのまま伝達される。
【００５６】
そして、コネクタ１６のハブ１６３の外側には補強リブ１６１が形成され、ハブ１６３の強度が補強される。
【００５７】
一方、タブ２の後壁部２００上に形成されたハブ２０１の外側には締結用ボス２０２が円周方向に沿って一定の間隔離隔形成され、締結用ボス２０２を用いてステータ１４をタブ２の後壁部２００上に固定させることができる。この際、タブ２の後壁部２００とステータ１４との間には後壁部２００の外郭形状とほぼ同形をなしてステータ１４の締結時にタブ２の後壁部２００に固定されるサポーター１７が介在されることにより、ステータ１４の支持及び同心度が維持可能である。
【００５８】
即ち、サポーター１７が締結部材１５ｄによってタブ後壁部２００上のサポーター締結用ボス２０４上に締結されると、サポーター１７の前端部はタブ後壁部２００の一側のリブ２０３の内側面に密着されるし、サポーター１７の後端部はタブ後壁部２００の中央に備えられたハブ部１３２により包まれずに露出されるベアリングハウジング７の後端部の外周面上に密着され、ステータ１４を支持　る一方、ステータの同心度が維持されるように作用する。
【００５９】
以下、本発明の第２実施形態を添付の図３ないし図９を参照にして詳細に説明する。
【００６０】
図９は本発明のドラム洗濯機の駆動部の構成を示す縦断面図である。
【００６１】
一方、本発明の第２実施形態においてローターとステータ、そして、コネクタの単品構造は上述した第１実施形態とその構成が同様であるので、同一名称及び同一符号を付し、図３ないし図８を参照に説明する。
【００６２】
本発明の第２実施形態によるドラム洗濯機には、キャビネット１の内側に設けられるタブ２と、タブ２の内側に設けられるドラム３と、タブ２の内側に設けられるドラム３に軸連結され、モータ５の駆動力をドラムへ伝達するシャフト４と、シャフト４両端部の外周面上に各々設けられる前方ベアリング６ａ及び後方ベアリング６ｂと、タブ３の後壁部２００の中央に内装され、前方ベアリング６ａを支持するベアリングハウジング７と、シャフト４と連動するように結合されるローター１３と、ローター１３の内側に位置し、タブの後壁部２００に締結されるステータ１４と、シャフト４の後方ベアリング６ｂの前方の外周面上にセレーション結合されると共にローター１３に締結され、ローター１３の回転力をシャフト４へ伝達するコネクタ１６と、タブ２の後壁部２００とステータ１４との間に設けられ、ステータを支持すると共に、ステータをタブの後壁部２００に装着時同心度が維持されるようにするサポーター１７と、タブの後壁部２００に結合され、前記ローター１３の外側を包むと共に、後方ベアリング６ｂの前端部を支持するベアリングブラケット９とが備えられている。
【００６３】
この際、タブ２はプラスティック材質であり、タブ２の後壁部２００の中央に設けられたベアリングハウジング７は金属材質であって、そのベアリングハウジング７はプラスティック材質のタブ２の射出成形時インサート射出され、タブ後壁部２００と一体形をなすように構成される。前記ベアリングハウジング７の材質はアルミニウム合金からなることが好ましい。
【００６４】
一方、金属材質のベアリングハウジング７の内周面上には、その内部に位置する前方ベアリング６ａを支持してその前方ベアリングがベアリングハウジング７から離脱されず支持されるようにするための段部７ａが形成される。この際、ベアリングハウジング７の内周面上に形成される段部７ａは、シャフト４の前端部に設けられる前方ベアリング６ａの後端部を支持する構造をなすように″¬″状に形成される。
【００６５】
一方、シャフト４の前端部はドラム３の後壁部２００に備えられたスパイダ１０に結合され、シャフト４のスパイダ１０の外部に露出した部分から前方ベアリング６ａまでの領域には、シャフト４の錆防止のために黄銅材質のブシング１１が圧入設置され、そのブシング１１の外側面には前方ベアリング６ａ側への水分浸透を防止するためのシーリング部材１２が設けられる。
【００６６】
一方、シャフト４後端部の中心には直結式モータ５を構成するローター１３とシャフト４との連結のためにコネクタ１６がセレーション結合され、そのコネクタ１６にはローター１３が締結部材１５ｃにより締結され、ローター１３の内側にはタブ２の後壁部２００に締結されてローター１３と共に直結式モーター５を構成するステータ１４が位置する。
【００６７】
この際、ローター１３は鉄板または鉄板合金材質からなり、図３ないし図５に示すように、その後壁面１３ａの縁部から前方に延長形成された側壁面１３ｂ上には、その内面の前方に装着されるマグネット１３ｃを支持するための安着面１３０を有する折り曲げ部が円周方向に沿って形成され、その後壁面１３ａの中心には前記ローター１３をシャフト４に結合させるためのボルトなどの締結部材１５ａが通過可能な貫通ホール１３１が形成されたハブ部１３２が形成される。ここで、ローター１３の全体的形状はプレス加工によりなされることが好ましい。
【００６８】
そして、ローター１３のハブ部１３２の周辺にはローター１３の回転時空気をステータ１４の側に吹き込み、ステータ１４からの発生熱を冷却させる作用を行う複数の冷却フィン１３３が放射状に形成され、この際、個別冷却フィン１３３は半径方向に所定の長さを有するように形成される。前記冷却フィン１３３はレンシング加工によって後壁面１３ａに対して９０°の角度に折り曲げられ開口部の側に向かう形態をなし、前記レンシング加工により形成された通孔１３４は通風口の役割を果たす。
【００６９】
これと共に、ローター１３の後壁面１３ａの各冷却フィン１３３とそれに隣接した冷却フィンとの間の領域にはローター１３の強度補強のためのエンボシング部１３５が形成され、そのエンボシング部上には水分排出のための排水ホール１３６が形成される。
【００７０】
一方、ローター１３のハブ部１３２に形成された貫通ホール１３１の縁部には後方ベアリング６ｂの後ろ側に露出されたシャフト４後端部の外周面上にセレーション結合されるコネクタ１６を前記ローター１３に締結させるための締結孔１３７及び、コネクタ１６の組立位置を決定する位置決定ホール１３８が一定の間隔離隔して形成される。この際、コネクタ１６は鉄板または鉄板合金材質のローター１３と振動モードが異なる樹脂材からなる。
【００７１】
一方、前記コネクタ１６は、図７ないし図９に示すように、その縁部領域に円周方向に沿ってローター１３のハブ部１３２に形成された締結孔１３７に対応する締結孔１６２が形成され、その締結孔１６２の間にはローター１３の位置決定ホール１３８内に挿入されることにより、ローター１３の締結孔１３７とコネクタ１６の締結孔１６２とが自動的に一致されるようにする位置決定突起１６０が一体に形成される。
【００７２】
また、コネクタ１６のハブ１６３の内周面上にはシャフト４の後端部に形成されたセレーションに形合するセレーション１６４が形成され、コネクタ１６のハブ１６３の外側にはハブ１６３の強度補強のための補強リブ１６１が備えられる。
【００７３】
一方、タブ２の後壁部２００上にはタブの射出成形時ベアリングハウジング７がその内部にインサートされるハブ２０１が備えられ、ハブ２０１の外側には、締結部材１５ｂを用いてステータ１４をタブ２の後壁部２００上に固定させるための締結用ボス２０２が円周方向に沿って一定の間隔離隔して備えられる。そして、タブ２の後壁部２００とステータ１４との間には、タブ後壁部２００の外郭形状とほぼ同形をなして前記ステータ１４の締結時タブ２の後壁部２００に固定されるサポーター１７が介在されることにより、ステータ１４の支持及び同心度が維持可能である。
【００７４】
一方、サポーター１７が締結部材１５ｄによってタブ後壁部２００上のサポーター締結用ボス２０４上に締結されると、サポーター１７の前端部はタブ後壁部２００の一側のリブ２０３の内側面に密着されるし、サポーター１７の後端部はタブ後壁部２００の中央に備えられたハブ部１３２により包まれずに露出されるベアリングハウジング７の後端部の外周面上に密着され、ステータ１４を支持する一方、ステータの同心度が維持されるように作用する。
【００７５】
また、ローター１３と共にモーター５を構成するステータ１４は、図３及び図６に示すように、リング状のフレーム１４０と、そのフレーム１４０の外側に備えられた巻線部１４１に巻かれるコイル１４２とを含んで構成され、フレーム１４０の内側にはステータ１４をタブの後壁部２００に固定させるための締結用リブ１４３がフレーム１４０に一体に形成される。
【００７６】
一方、図９に示すように、タブ後壁部２００に締結され、ローター１３の外側を包むベアリングブラケット９の内側の先端部にはシャフト４の後端部に設けられる後方ベアリング６ｂの前端部を支持する″└″状の段部９００ｂが形成される。また、シャフト４の後端には、前記シャフトに締結されることで後方ベアリングがシャフトの後方から離脱されないようにその背面を支持する後方ベアリング固定用締結部材１５ｂが締結される。
【００７７】
このように構成された本発明の第２実施形態によるドラム洗濯機の駆動部の動作過程は次の通りである。
【００７８】
パネル部に付着されたモータ駆動用コントローラ（図示せず）の制御によってステータ１４のコイル１４２に順次に電流が流れ、ローター１３の回転が起こると、ローターに結合されたコネクタ１６とセレーション結合されたシャフト４が回転し、これに従いシャフト４を介してドラムへ動力が伝達され、ドラム３が回転するようになる。
【００７９】
一方、このように駆動する本発明の第２実施形態によるドラム洗濯機の作用は次の通りである。
【００８０】
まず、本発明の第２実施形態によるドラム洗濯機は第１実施形態と同様に、タブ１が耐熱性の優れたプラスティック材質から製作されるため重量が軽く、射出成形されることで製作性が良くなる。また、前方ベアリング６ａの支持手段であるベアリングハウジング７がアルミニウム合金などの金属材質からなっているため、高温でも熱的変形がなく、乾燥工程のあるドラム洗濯機にも適用可能である。
【００８１】
そして、前記金属材質のベアリングハウジング７はプラスティック材質のタブ２の射出成形時、タブ後壁部２００のハブ２０１内にインサート射出され、前記タブ２と一体形になるように構成されることで、ベアリングハウジング７をタブ後壁部２００に別途に組み立てる工程が省略され、組立工数を減らすことができる。
【００８２】
そして、本発明の第２実施形態によるドラム洗濯機は、ベアリングハウジング７の内周面の前方に段部７ａが形成されることにより、シャフト４両端部の外周面上に設けられる前方ベアリング６ａの後端部が支持され得る。
【００８３】
即ち、金属材質のベアリングハウジング７はその内周面に″¬″状の段部７ａが形成されることで前方ベアリング６ａがベアリングハウジング７から離脱せずに支持される。また、タブの後壁部２００に締結されローター１３の外側を包むベアリングブラケット９の内側先端部には″└″状の段部９００ｂが形成されることで、シャフト４の後端部に設けられた後方ベアリング６ｂの前端部が前記段部９００により支持されるし、シャフト４の後断面上には後方ベアリング固定用の締結部材１５ｂが締結され、前記後方ベアリング６ｂがシャフトの後方に離脱する現象が防止される。
【００８４】
一方、本発明の第２実施形態では、前方ベアリング６ａがタブ１にインサート射出されたベアリングハウジング７内に位置されるように設けられ、後方ベアリング６ｂはモーター５を包むようにタブ後壁部２００の締結用ボス２０４に締結部材１５ｅにより締結されるベアリングブラケット９の中心部の内側に位置するように設けられることにより、シャフト４上に設けられる前・後方ベアリング６ａ、６ｂの間の間隔が大きくなると共に、ローターが前・後方ベアリングの間に位置するようになる。
【００８５】
このように、前・後方ベアリング６ａ、６ｂの間の間隔が大きくなるに従って、シャフト４は脱水時ドラム１内部の洗濯物の不平衡量により加えられる荷重によりよく堪えることができ、特に、前記前・後方ベアリング６ａ、６ｂの間にモータを構成するローター１３が結合されることにより、ローターに対する支持力が強化する。
【００８６】
また、本発明の第２実施形態では第１実施形態と同様に、シャフト４のスパイダ１０の外部に露出した部分から前方ベアリング６ａまでの領域に黄銅材質のブシング１１が強制圧入設置されることにより、シャフト４の錆発生を防止することができる。そして、前記ブシング１１の外側面にはシーリング部材１２が設けられていて、ベアリング側への水分浸透が防止されることも同様である。
【００８７】
一方、シャフト４の後端部にはローター１３とシャフト４との連結のためにコネクタ１６がセレーション結合され、そのコネクタ１６にはローター１３がボルトなどの締結部材１５ｃによって締結され、前記ローター１３の内側にはタブ２の後壁部２００に締結されてローター１３と共に直結式モータを構成するステータ１４が位置するようになる。この際、図３ないし図５に示すように、ローター１３の後壁面１３ａの縁部から前方に延長形成された側壁面１３ｂ上にはマグネット安着面１３０を有する切り曲げ部が円周方向に沿って形成され、マグネット１３ｃをローター１３の内面に付着時、安着面１３０によってマグネット１３ｃの支持が行われるので、ローター製作が容易となることは上記第１実施形態と同様である。
【００８８】
また、本発明の第２実施形態は上記第１実施形態と同様に、ローター１３のハブ部１３２の周辺に複数の冷却フィン１３３が放射状に所定の長さを有するように形成され、ローター１３の回転時、前記冷却フィン１３３が空気をステータ１４の側に吹き込み、ステータ１４からの発生熱を冷却させる。この際、冷却フィン１３３はレンシング加工によってローター１３の開口部の側に向かうように形成され、レンシング加工により形成された通孔１３４は通風口の役割を果たす。ここで、ローター１３は鉄板または鉄板合金材質としてプレス加工により成形されることで、ローターの製作時間が短縮され、ローター制作時の生産性が向上する。これと共に、ローター１３後壁面１３ａの各冷却フィン１３３と冷却フィンの間の領域にはエンボシング部１３５が形成されてローター１３の強度が向上し、エンボシング部１３５上には排水ホール１３６が形成され、その排水ホール１３６を介して水分排出が行われる。
【００８９】
一方、ローター１３のハブ部１３２に形成された貫通ホール１３１の端部にはコネクタ１６との締結のための締結孔１３７及び、コネクタ１６の組立位置決定のための位置決定ホール１３８が形成され、シャフト４後端部の外周面上にセレーション結合されるコネクタ１６をローター１３に簡単に結合させることができる。
【００９０】
即ち、コネクタ１６の位置決定突起１６０がローター１３の位置決定ホール１３８内に挿入されると、ローター１３及びコネクタ１６の締結孔１３７、１６２が自動に一致となり、これに従って締結部材１５ｃを締結孔１３７、１６２を貫通するように締結することで、コネクタ１６とローターとの組立を容易に行うことができる。この際、コネクタ１６は樹脂材質として射出成形されるが、鉄板または鉄板合金材質のローター１３とは振動モードが異なり、ローター１３の振動モードが減衰してシャフト４へ伝達されるようにする役割を果たす。
【００９１】
一方、コネクタ１６のハブ１６３の内主面上にはセレーション１６４が形成され、シャフト４の後端部に形成されたセレーション４００に形合することにより、コネクタ１６を介してローター１３の回転力がシャフト４へそのまま伝達される。
【００９２】
そして、コネクタ１６のハブ１６３の外側には補強リブ１６１が形成され、ハブ１６３の強度が補強される。
【００９３】
一方、タブ２の後壁部２００上に形成されたハブ２０１の外側には締結用ボス２０２が円周方向に沿って一定の間隔離隔形成され、締結用ボス２０２を用いてステータ１４をタブ２の後壁部２００上に固定させることができる。この際、タブ２の後壁部２００とステータ１４との間には後壁部２００の外郭形状とほぼ同形をなしてステータ１４の締結時にタブ２の後壁部２００に固定されるサポーター１７が介在されることにより、ステータ１４の支持及び同心度が維持可能である。
【００９４】
即ち、サポーター１７の前端部はタブ後壁部２００の一側のリブ２０３の内側面に密着されるし、サポーター１７の後端部はタブ後壁部２００の中央に備えられたハブ部１３２により包まれずに露出されるベアリングハウジング７の後端部の外周面上に密着され、ステータ１４を支持する一方、ステータの同心度が維持されるように作用する。
【００９５】
【発明の効果】
上記した本発明の第１及び第２実施形態による効果は以下の通りである。
【００９６】
請求項１ないし９、そして、請求項３０に記載のように、本発明によるドラム洗濯機はモータ直結式構造となっており、雑音及び故障の発生、動力損失が減少する。
【００９７】
そして、請求項１ないし３、請求項１０ないし１４に記載のように、本発明はベアリングハウジングが金属材質からなるため熱的変形がなく、乾燥機能を有する製品に適用可能であるし、ベアリングハウジングにベアリング支持のための構造が備えられる。
【００９８】
また、請求項１７に記載のように、本発明によるドラム洗濯機では、ローターが鉄板または鉄板合金材質からなり、プレス成形によって製造可能であるので、成形性が優れて製造時間が短縮され、生産性が向上する。
【００９９】
また、請求項１８ないし２３に記載のように、本発明のローターはマグネット安着面を有することでマグネット装着時に作業性が向上し、排水ホールと共に冷却フィン及び通孔が備えられることにより、モータの過熱が防止され、モータの信頼性向上及び寿命の延長を図ることができる。
【０１００】
そして、請求項２４ないし２９に記載のように、本発明のドラム洗濯機はローターと振動モードが異なるコネクタが備えられ、ローターからシャフトへ伝達される振動を低減させることができ、サポーターによってステータの支持及び同心度の維持が効果的に行われる。
【０１０１】
特に、請求項９ないし１１、及び請求項３０に記載のように、本発明の第２実施形態によるドラム洗濯機では、前・後方ベアリング間の距離が遠くなるに従って、脱水時洗濯物の不平衡量によってシャフトに加えられる荷重によりよく堪えることでき、前・後方ベアリングの間にローターが結合されることでローターに対する支持力が強化される。
【０１０２】
以上に説明したように、本発明はドラム洗濯機の駆動部の構造を改良してドラム洗濯機の雑音及び故障、そして、動力損失を減らすと共に、洗濯力の向上を図ることにより製品の信頼性を向上させることができるし、駆動部を構成する部品製作時に作業性が良くなり、生産性が向上するような効果を奏する。
【０１０３】
一方、本発明は上述した実施の形態に限定されず、その技術思想を離脱しない限り、寸法及び形状、材質の変更が可能であることは勿論である。
【図面の簡単な説明】
【図１】従来のドラム洗濯機の構成を示す縦断面図。
【図２ａ】本発明の第１実施形態によるドラム洗濯機の構成を示す縦断面図。
【図２ｂ】図２ａのＡ部の拡大詳細図。
【図３】図２のローターを示す一部切開斜視図。
【図４】図３のＢ部の拡大斜視図。
【図５】図３の底面斜視図。
【図６】図２のステータを示す斜視図。
【図７】図２のコネクタを示す斜視図。
【図８】図７の底面斜視図。
【図９】本発明の第２実施形態によるドラム洗濯機の駆動部の構成を示す縦断面図。
【符号の説明】
１：キャビネット　　　　　２：タブ
２００：後壁部　　　　　　２０１：ハブ
２０２、２０４：締結用ボス　　　　２０３：リブ　　　　　３：ドラム
４：シャフト　　　　　　　４００ａ、４００ｂ：位置決定用段部
４００：セレーション　　　５：モータ
６ａ、６ｂ：前・後方ベアリング　　７：ベアリングハウジング
７ａ：段部　　　　　　　　８ａ、８ｂ：段部
９：ベアリングブラケット　　　　　９００ｂ：段部
１０：スパイダ　　　　　　１１：ブシング
１２：シーリング部材　　　１３：ローター
１３ａ：後壁面　　　　　　１３ｂ：側壁面
１３ｃ：マグネット　　　　１３０：安着面
１３１：貫通ホール　　　　１３２：ハブ部
１３３：冷却フィン　　　　　１３４：通孔
１３５：エンボシング部　　１３６：排水ホール
１３７：締結孔　　　　　　１３８：位置決定ホール
１４：ステータ　　　　　　１４０：フレーム
１４１：巻線部　　　　　　１４２：コイル
１４３：締結用リブ　　　　１５ａ、１５ｂ、１５ｃ、１５ｄ：締結部材
１６：コネクタ　　　　　　１６０：位置決定突起
１６１：補強リブ　　　　　１６２：締結孔
１６３：ハブ　　　　　　　１６４：セレーション
１７：サポーター　　　　　１８：モータープーリ
１９：ドラムプーリ　　　　２０：ベルト
２１：ドア　　　　　　　　２２：ガスケット
２３：ハンギングスプリング　　２４：フリクションダンパ
【図１】
2004000608.tif 000003
【図２ａ】
2004000608.tif 000004
【図２ｂ】
2004000608.tif 000005
【図３】
2004000608.tif 000006
【図４】
2004000608.tif 000007
【図５】
2004000608.tif 000008
【図６】
2004000608.tif 000009
【図７】
2004000608.tif 000010
【図８】
2004000608.tif 000011
【図９】
2004000608.tif 000012